(57)【特許請求の範囲】
【請求項１】
コンテンツを再生するコンテンツ再生手段と、
特定ユーザを識別するユーザ識別手段と、
前記ユーザ識別手段で識別した特定ユーザが属する場所を検出する検出手段と、
前記検出手段で検出した場所に前記コンテンツを出力させて、他の場所において前記コンテンツを出力させない制御手段と、
を備え、
前記検出手段は、他装置の発した汎用ビーコンを検出し、検出した前記汎用ビーコンの強度から前記他装置との距離を算出し、算出した結果に基づき前記特定ユーザが属する場所を検出し、
前記ユーザ識別手段は、前記汎用ビーコンに含まれるユーザを識別する情報から、前記特定ユーザを検出することを特徴とするコンテンツ再生装置。
【請求項２】
請求項１に記載のコンテンツ再生装置であって、
前記コンテンツ再生手段は、複数の場所に所定のコンテンツを再生する複数のコンテンツ再生手段を含むことを特徴とするコンテンツ再生装置。
【請求項３】
請求項１または請求項２に記載のコンテンツ再生装置であって、
場所毎に設置された複数の操作受付手段を備え、
前記検出手段は、操作を受け付けた操作受付手段が設置された場所に前記特定ユーザが属すると判断するコンテンツ再生装置。
【請求項４】
請求項１乃至請求項３のいずれかに記載のコンテンツ再生装置であって、
前記ユーザ識別手段は、複数の特定ユーザを識別し、
前記検出手段は、各特定ユーザの属する場所をそれぞれ検出し、
前記制御手段は、特定ユーザ毎のコンテンツを、それぞれの特定ユーザの居る場所に出力させるコンテンツ再生装置。
【請求項５】
請求項１乃至請求項４のいずれかに記載のコンテンツ再生装置であって、
前記制御手段は、コンテンツの出力を停止したとき、該停止したコンテンツの識別情報と、該コンテンツに対応する特定ユーザに係る情報と、を保持するコンテンツ再生装置。
【発明の詳細な説明】
【技術分野】
【０００１】
この発明は、コンテンツを再生し、複数の場所において当該コンテンツを出力するコンテンツ再生装置に関する。
【背景技術】
【０００２】
従来、各部屋に設置したスピーカのうち、任意のスピーカから任意のコンテンツを出力させることができるシステムが提案されている。このシステムでは、ユーザは、再生するコンテンツを選択し、かつ出力させたい部屋を選択する。すると、選択された部屋において、選択されたコンテンツが出力される。ユーザは、他の部屋に移動したとき、出力させたい部屋を変更することで、他の部屋においてもコンテンツを聞くことができる。
【０００３】
また、特許文献１には、各部屋の有人または無人を検出し、有人の部屋で音楽を再生することで、ユーザの移動に追従して音楽を再生する場所を変更することができるシステムが提案されている。
【先行技術文献】
【特許文献】
【０００４】
【特許文献１】特開２０１１−１９９７９５号公報
【発明の概要】
【発明が解決しようとする課題】
【０００５】
従来のシステムでは、ユーザが他の部屋に移動したとき、出力させたい部屋を新たに選択して、かつ今まで居た部屋においてはコンテンツを出力させないようにする（スピーカの電源をオフする、またはミュートを選択する）必要があった。したがって、ユーザにとっては、煩わしい操作を行う必要があった。
【０００６】
また、特許文献１のシステムでは、家に居る人が１人の場合でしか利用することができなかった。例えば２つの部屋にそれぞれ人がいる場合には、両方の部屋でコンテンツが出力されることになり、特定ユーザ（該コンテンツの再生を指示したユーザ）が居る部屋以外の部屋でもコンテンツが出力されてしまう。
【０００７】
そこで、この発明は、煩雑な操作をすることなく、特定ユーザが再生を指示したコンテンツを、該特定ユーザの移動に応じた場所で出力させることができるコンテンツ再生装置を提供することを目的とする。
【課題を解決するための手段】
【０００８】
この発明のコンテンツ再生装置は、コンテンツを再生するコンテンツ再生手段と、特定ユーザを識別するユーザ識別手段と、前記ユーザ識別手段で識別した特定ユーザが属する場所を検出する検出手段と、前記検出手段で検出した場所に前記コンテンツを出力させて、他の場所において前記コンテンツを出力させない制御手段と、を備えたことを特徴とする。
【０００９】
このように、コンテンツ再生装置は、特定ユーザを識別して、該特定ユーザが属する場所にコンテンツを出力させ、他の場所には出力させないようにする。これにより、特定ユーザは、自身が聴いていたコンテンツを移動後の場所でも続けて聴くことができる。また、複数の人が居る場合であっても、特定ユーザが居る場所でしかコンテンツが出力されることがない。
【００１０】
なお、特定ユーザが属する場所は、場所毎に設置された複数の操作受付手段（例えばスイッチ）を用いて検出することができる。この場合、検出手段は、スイッチが押された場所に特定ユーザが属すると判断する。
【００１１】
また、特定ユーザが属する場所は、ユーザが所持する端末の位置を検出することでも検出可能である。端末の位置を検出する手法は、例えばＧＰＳを用いることも可能であるし、無線ＬＡＮまたはＢｌｕｅｔｏｏｔｈ（登録商標）等における電波強度を用いることでも可能である。
【００１２】
また、ユーザ識別手段は、複数の特定ユーザを識別してもよい。この場合、検出手段は、各特定ユーザの属する場所をそれぞれ検出し、制御手段は、特定ユーザ毎のコンテンツを、それぞれの特定ユーザの居る場所に出力させる。
【００１３】
なお、制御手段は、コンテンツの出力を停止したとき、該停止したコンテンツの識別情報と、該コンテンツに対応する特定ユーザに係る情報と、を保持することが好ましい。これにより、第１の特定ユーザが第１の部屋において第１のコンテンツを聴いている状況において、第２の特定ユーザが第１の部屋に移動して、第１の部屋において第１のコンテンツの出力が停止され第２のコンテンツが出力された場合、その後第１の特定ユーザが他の部屋（第２の部屋）に移動すると、当該第２の部屋において第１のコンテンツを再び再生させることができる。
【発明の効果】
【００１４】
この発明によれば、煩雑な操作をすることなく、特定ユーザが再生を指示したコンテンツを、該特定ユーザの移動に応じた場所で出力させることができる。
【図面の簡単な説明】
【００１５】
【図１】コンテンツ再生システムの全体構成図である。
【図２】レシーバ、スピーカ、およびユーザ端末の構成を示すブロック図である。
【図３】ユーザの移動に追従して各部屋にコンテンツを出力する構成を示す図である。
【図４】各部屋に設置したスイッチ（操作受付手段）を用いてユーザが属する場所を検出する態様を示す図である。
【図５】複数のユーザを識別し、ユーザ毎のコンテンツを、それぞれのユーザの居る場所に出力させる態様を示す図である。
【図６】ネットワークスピーカを用いる場合のコンテンツ再生システムを示す図である。
【図７】ネットワークスピーカの構成を示すブロック図である。
【図８】各部屋に設置したスイッチ（操作受付手段）を用いてユーザが属する場所を検出する態様を示す図である。
【図９】レシーバとスピーカとをアナログオーディオケーブルで接続する場合の例を示す図である。
【図１０】レシーバ、スピーカ、ビーコン端末、およびユーザ端末（スマートフォン）の構成を示すブロック図である。
【発明を実施するための形態】
【００１６】
図１（Ａ）は、本発明のコンテンツ再生装置を備えたコンテンツ再生システムの全体構成図である。
【００１７】
コンテンツ再生システムは、レシーバ５、スピーカ７Ａ、スピーカ７Ｂ、スピーカ７Ｃ、およびユーザ端末９を備えている。レシーバ５には、スピーカ７Ａ、スピーカ７Ｂ、およびスピーカ７Ｃが接続されている。
【００１８】
スピーカ７Ａは、部屋１Ａに配置され、スピーカ７Ｂは、部屋１Ｂに配置され、スピーカ７Ｃは、部屋１Ｃに配置されている。レシーバ５は、住居３の所定の位置（この例では部屋１Ｂ）に設置されている。ユーザは、レシーバ５を操作して任意のコンテンツの再生を指示する。
【００１９】
ユーザ端末９は、ユーザが携帯する端末であり、例えばスマートフォン、またはＢｌｕｅｔｏｏｔｈタグ等である。ユーザは、当該ユーザ端末９を持ち運び、各部屋を移動する。例えば、図１（Ａ）においては、ユーザは、部屋１Ｂに居る。ユーザは、レシーバ５を操作して任意のコンテンツの再生を指示すると、当該ユーザが居る部屋１Ｂのスピーカ７Ｂからコンテンツが出力される。ここで、本実施形態のコンテンツ再生システムでは、ユーザが図１（Ｂ）に示すように、部屋１Ａに移動すると、部屋１Ａのスピーカ７Ａからコンテンツが出力され、他の部屋においてはコンテンツの出力が停止される。このように、本実施形態のコンテンツ再生システムでは、ユーザが煩雑な操作をすることなく、自身が聴いていたコンテンツを移動後の場所でも続けて聴くことができ、他の場所ではコンテンツが出力されることがないものである。
【００２０】
図２は、レシーバ５、スピーカ７Ｂ、およびユーザ端末９の構成を示すブロック図である。なお、図２においては代表してスピーカ７Ｂの構成について示すが、スピーカ７Ａ、スピーカ７Ｂ、およびスピーカ７Ｃは、全て同じ構成および機能を有する。
【００２１】
レシーバ５は、コンテンツ記憶部１０１、制御部１０２、メモリ１０３、ネットワーク通信部１０４、およびユーザインタフェース（Ｉ／Ｆ）１０５を備えている。制御部１０２には、コンテンツ記憶部１０１、メモリ１０３、ネットワーク通信部１０４、およびユーザＩ／Ｆ１０５が接続されている。
【００２２】
メモリ１０３には、レシーバ５を動作させるためのプログラム（ＯＳおよびアプリケーションプログラム）が記憶されている。制御部１０２は、メモリ１０３に記憶されているプログラムを読み出し、レシーバ５の動作を制御する。例えば、制御部１０２は、ユーザＩ／Ｆ１０５を介して受け付けたユーザの操作に基づいて、コンテンツ記憶部１０１からコンテンツに係るデータ（オーディオデータ）を読み出して再生する（これにより、制御部１０２は、コンテンツ再生手段として機能する）。例えば、制御部１０２は、読み出したオーディオデータが圧縮オーディオデータである場合には、当該圧縮オーディオデータをデコードして、デジタルオーディオ信号に変換する。
【００２３】
なお、この例では、自装置内のコンテンツ記憶部１０１からコンテンツに係るデータを読み出す例を示しているが、他装置からコンテンツに係るデータ、デジタルオーディオ信号、またはアナログオーディオ信号等を入力する態様であってもよい。
【００２４】
制御部１０２は、再生したコンテンツに係るデジタルオーディオ信号を、ネットワーク通信部１０４を介して出力する。図２の例では、制御部１０２は、再生したコンテンツに係るデジタルオーディオ信号をスピーカ７Ｂに出力する。
【００２５】
なお、図２においては、ネットワーク通信部１０４は、有線ＬＡＮの規格に準ずるものであり、有線ＬＡＮを介してレシーバ５とスピーカ７Ｂが接続される態様を示している。ただし、レシーバ５とスピーカ７Ｂは、無線ＬＡＮ等の無線通信を介して接続される態様であってもよい。また、レシーバ５とスピーカ７Ｂは、例えばＳ／ＰＤＩＦのようなデジタルオーディオケーブルを介して接続されていてもよい。また、レシーバ５とスピーカ７Ｂは、アナログオーディオケーブルを介して接続されていてもよい。アナログオーディオケーブルで接続される場合には、制御部１０２は、デジタルオーディオ信号をアナログオーディオ信号に変換して出力する。この場合、後述のユーザ識別情報等の各種情報は、別の構成（例えばスイッチ等）により送受信される。
【００２６】
スピーカ７Ｂは、制御部９１、ネットワーク通信部９２、メモリ９３、ＢＴ（Ｂｌｕｅｔｏｏｔｈ）通信部９４、およびスピーカユニット９５を備えている。制御部９１には、ネットワーク通信部９２、メモリ９３、ＢＴ（Ｂｌｕｅｔｏｏｔｈ）通信部９４、およびスピーカユニット９５が接続されている。
【００２７】
メモリ９３には、スピーカ７Ｂを動作させるためのプログラム（ＯＳおよびアプリケーションプログラム）が記憶されている。制御部９１は、メモリ９３に記憶されているプログラムを読み出し、スピーカ７Ｂの動作を制御する。例えば、制御部９１は、ネットワーク通信部９２を介してレシーバ５から出力されたデジタルオーディオ信号をアナログオーディオ信号に変換する。アナログオーディオ信号は、アンプ（不図示）で増幅され、スピーカユニット９５から放音される。なお、スピーカユニット９５およびアンプ（不図示）は、スピーカ７Ｂが内蔵する例に限らず、別途外部に設けるようにしてもよい。
【００２８】
ＢＴ通信部９４は、Ｂｌｕｅｔｏｏｔｈ  Ｌｏｗ  Ｅｎｅｒｇｙ規格（以下、ＢＬＥと称する。）に準じたビーコン信号を送受信する。また、ユーザ端末９は、ＢＴ通信部９１０を内蔵し、当該ＢＴ通信部９１０もＢＬＥに準じたビーコン信号を送受信する。ＢＴ通信部９４は、ユーザ端末９が送信したビーコン信号を受信する。
【００２９】
制御部９１は、ＢＴ通信部９４で受信した当該ビーコン信号の受信電波強度に基づいて、ユーザ端末９との距離を測定する。電波強度は、距離の二乗に反比例するため、スピーカ７Ｂとユーザ端末９との距離に関する情報に変換することができる。また、ビーコン信号には、ユーザ識別情報が含まれている。ユーザ識別情報は、ユーザ毎に一意に決定された固有の情報であり、例えばユーザ端末９の製造番号、またはＭＡＣアドレス等の情報である。
【００３０】
制御部９３は、上記ユーザ識別情報と、ユーザ端末９との距離情報と、をネットワーク通信部９２を介してレシーバ５に送信する。
【００３１】
レシーバ５の制御部１０２は、受信したユーザ識別情報をメモリ１０３に記憶する。このとき、制御部１０２は、現在再生しているコンテンツを示すコンテンツ識別情報（曲名等の情報）と、受信したユーザ識別情報と、を対応づけてメモリ１０３に記憶する（これにより制御部１０２は、特定ユーザを識別するユーザ識別手段として機能する）。なお、レシーバ５は、例えば「ユーザ設定ボタン」等のユーザの設定を受け付ける機能を備え、当該ユーザ設定ボタンが押されたときに、最も近いユーザ識別情報と、コンテンツ識別情報と、を対応づけてもよい。
【００３２】
なお、ユーザ端末９が出力するビーコン信号は、他の部屋に設置されたスピーカ７Ａまたはスピーカ７Ｃにおいても受信される場合がある。この場合、レシーバ５には、各スピーカからユーザ識別情報および距離情報が送信される。制御部１０２は、最もユーザ端末９に近いスピーカが設置された部屋にユーザが居ると判断し、当該スピーカ７Ｂにデジタルオーディオ信号を送信して、他のスピーカにはデジタルオーディオ信号を送信しないようにする。
【００３３】
例えば、図３（Ａ）に示すように、ユーザが部屋１Ｂに居る場合には、スピーカ７Ｂがユーザ端末９に最も近くなる。したがって、スピーカ７Ｂからコンテンツ（音楽）が出力され、スピーカ７Ａおよびスピーカ７Ｃからはコンテンツが出力されない。
【００３４】
これに対し、図３（Ｂ）に示すように、例えばユーザが部屋１Ａに移動したときには、スピーカ７Ａがユーザ端末９に最も近くなる。したがって、レシーバ５の制御部１０２は、最もユーザ端末に近いスピーカ７Ａにデジタルオーディオ信号を送信して、他のスピーカにはデジタルオーディオ信号を出力しないようにする。これにより、スピーカ７Ａからコンテンツ（音楽）が出力され、スピーカ７Ｂおよびスピーカ７Ｃからはコンテンツが出力されない。
【００３５】
このようにして、本実施形態のコンテンツ再生システムでは、ユーザが煩雑な操作をすることなく、自身が聴いていたコンテンツを移動後の場所でも続けて聴くことができる。
【００３６】
なお、ユーザ識別情報および距離情報等の各種情報は、上述のようにネットワーク（有線ＬＡＮまたは無線ＬＡＮ）を介して送信してもよいが、レシーバにＢＴ通信部を設けて、ＢＬＥを介して送信するようにしてもよい。
【００３７】
なお、コンテンツの出力を制御する態様は、以下のようにして行うこともできる。例えば、レシーバ５は、全てのスピーカにデジタルオーディオ信号を送信して、ユーザの居る部屋のスピーカ（最もユーザ端末に近いスピーカ）以外のスピーカには、ミュートを行うように指示する情報を送信する。
【００３８】
また、ユーザが属する場所を検出する検出手段として、上述の例では、ＢＬＥによる電波強度で距離を測定する態様を示したが、例えばＧＰＳを用いてユーザ端末９の位置情報を取得することでも検出手段を実現することも可能である。また、図４に示すように、各部屋に設置したスイッチ（操作受付手段）を用いてユーザが属する場所を検出することも可能である。
【００３９】
図４（Ａ）および図４（Ｂ）に示すコンテンツ再生システムでは、ユーザ端末９に代えて、部屋１Ａにスイッチ８Ａが設置され、部屋１Ｂにスイッチ８Ｂが設置され、部屋１Ｃにスイッチ８Ｃが設置されている。スイッチ８Ａ、スイッチ８Ｂ、およびスイッチ８Ｃは、レシーバ５に接続されている。
【００４０】
図４（Ａ）の例では、ユーザは、部屋１Ｂに入ったときにスイッチ８Ｂを操作する。スイッチ８Ｂの操作情報は、レシーバ５に送信される。レシーバ５は、スイッチ８Ｂが設置されている部屋１Ｂのスピーカ７Ｂにデジタルオーディオ信号を送信して、他のスピーカにはデジタルオーディオ信号を送信しないようにする。したがって、スピーカ７Ｂからコンテンツ（音楽）が出力され、スピーカ７Ａおよびスピーカ７Ｃからはコンテンツが出力されない。
【００４１】
一方で、図４（Ｂ）に示すように、ユーザは、部屋１Ａに入ったときにスイッチ８Ａを操作する。スイッチ８Ａの操作情報は、レシーバ５に送信される。レシーバ５は、スイッチ８Ａが設置されている部屋１Ａのスピーカ７Ａにデジタルオーディオ信号を送信して、他のスピーカにはデジタルオーディオ信号を送信しないようにする。したがって、スピーカ７Ａからコンテンツ（音楽）が出力され、スピーカ７Ｂおよびスピーカ７Ｃからはコンテンツが出力されない。または、レシーバ５は、直前にユーザが居たスピーカ７Ｂにデジタルオーディオ信号を送信しないようにして、直前にユーザが居たスピーカの出力だけを止めるようにしてもよい。
【００４２】
このようにして、ユーザは、スイッチを操作するだけで、自身が聴いていたコンテンツを移動後の場所でも続けて聴くことができる。
【００４３】
次に、図５は、複数のユーザを識別し、ユーザ毎のコンテンツを、それぞれのユーザの居る場所に出力させる態様を示す図である。
【００４４】
図５（Ａ）の状態においては、部屋１Ｂにユーザ端末９Ａを所持するユーザ９０Ａが居て、部屋１Ｃにユーザ端末９Ｂを所持するユーザ９０Ｂが居る。各ユーザは、予めレシーバ５を操作して（またはスマートフォン等の端末を用いて）、再生するコンテンツを選択する。このとき、レシーバ５の制御部１０２は、各ユーザが再生したコンテンツ識別情報と、各ユーザのユーザ識別情報と、を対応付けてメモリ１０３に記憶する。レシーバ５を操作してコンテンツを選択した場合には、そのときにレシーバ５（すなわちスピーカ７Ｂ）にもっと近い距離として検出されたユーザ端末が送信するユーザ識別情報と、コンテンツ識別情報とを対応付ける。スマートフォン等の端末を用いて操作した場合には、当該スマートフォンからレシーバ５にユーザ識別情報を送信し、コンテンツ識別情報と対応付ける。
【００４５】
これにより、図５（Ａ）に示すように、部屋１Ｂにおいては、ユーザ端末９Ａを所持するユーザ９０Ａが再生を指示したコンテンツ９５Ａが出力され、部屋１Ｃにおいては、ユーザ端末９Ｂを所持するユーザ９０Ｂが再生を指示したコンテンツ９５Ｂが出力される。
【００４６】
ここで、図５（Ｂ）に示すように、ユーザ端末９Ｂを所持するユーザ９０Ｂが部屋１Ｂに移動し、スピーカ７Ｂに最も近い位置に移動した場合、レシーバ５の制御部１０２は、スピーカ７Ｂに、コンテンツ９５Ｂに係るデジタルオーディオ信号を送信して、他のスピーカにはコンテンツ９５Ｂに係るデジタルオーディオ信号を出力しないようにする。すなわち、この状態では、コンテンツ９５Ａの出力が停止される。ただし、この状態においても、メモリ１０３には、ユーザ９０Ａのユーザ識別情報と、コンテンツ９５Ａのコンテンツ識別情報とが対応付けられて記憶されている。
【００４７】
したがって、図５（Ｃ）に示すように、ユーザ９０Ａが部屋１Ａに移動すると、スピーカ７Ａからユーザ９０Ａのユーザ識別情報が送信されるため、レシーバ５の制御部１０２は、スピーカ７Ａに、コンテンツ９５Ａに係るデジタルオーディオ信号を送信して、他のスピーカにはコンテンツ９５Ａに係るデジタルオーディオ信号を出力しないようにする。これにより、ユーザ９０Ａは、部屋１Ｂで聴いていたコンテンツ９５Ａを、部屋１Ａに移動して聴くことができる。
【００４８】
次に、図６は、レシーバ５に代えて、ネットワークスピーカ７０Ａ、ネットワークスピーカ７０Ｂ、およびネットワークスピーカ７０Ｃを用いる場合のコンテンツ再生システムを示す図である。
【００４９】
この例では、ネットワークスピーカ７０Ａ、ネットワークスピーカ７０Ｂ、およびネットワークスピーカ７０Ｃは、それぞれ部屋１Ａ、部屋１Ｂ、および部屋１Ｃに設置されている。また、ユーザは、ユーザ端末として、スマートフォン８１を所持している。ネットワークスピーカ７０Ａ、ネットワークスピーカ７０Ｂ、ネットワークスピーカ７０Ｃ、およびスマートフォン８１は、全てネットワークを介して接続されている。
【００５０】
図７は、ネットワークスピーカ７０Ｂおよびスマートフォン８１の主要構成を示すブロック図である。なお、図７においては代表してネットワークスピーカ７０Ｂの構成について示すが、ネットワークスピーカ７０Ａ、ネットワークスピーカ７０Ｂ、およびネットワークスピーカ７０Ｃは、全て同じ構成および機能を有する。
【００５１】
ネットワークスピーカ７０Ｂは、スピーカ７Ｂと同じ構成を備えているが、さらにコンテンツ記憶部１０１を備えている。スマートフォン８１は、ユーザ端末９の構成に加えて、制御部８５、メモリ８６、ネットワーク通信部８７、およびタッチパネル８８を備えている。
【００５２】
メモリ８６には、スマートフォン８１を動作させるためのプログラム（ＯＳおよびアプリケーションプログラム）が記憶されている。制御部８５は、メモリ８６に記憶されているプログラムを読み出し、スマートフォン８１の動作を制御する。例えば、制御部８５は、タッチパネル８８を介して受け付けたユーザの操作に基づいて、当該タッチパネル８８に所定の画像を表示する。
【００５３】
ネットワークスピーカ７０Ａ、ネットワークスピーカ７０Ｂ、ネットワークスピーカ７０Ｃ、およびスマートフォン８１は、全てネットワークを介して接続されている。
【００５４】
ユーザは、タッチパネル８８を操作して、コンテンツ記憶部１０１に記憶されているコンテンツから、任意のコンテンツの再生を指示する。
【００５５】
なお、ネットワークスピーカ７０Ａ、ネットワークスピーカ７０Ｂ、およびネットワークスピーカ７０Ｃの全てにおいて、コンテンツ記憶部１０１を備える必要はなく、いずれか１つのネットワークスピーカがコンテンツ記憶部１０１を備えていればよい。また、コンテンツ記憶部１０１は、スマートフォン８１に設けられていてもよい。
【００５６】
ネットワークスピーカ７０Ｂの制御部９１は、ユーザから指示されたコンテンツ記憶部１０１からコンテンツを読み出して再生する。
【００５７】
制御部９１は、再生したコンテンツに係るオーディオ信号を、自装置のスピーカユニット９５または、ネットワーク通信部９２を介して他のネットワークスピーカに出力する。図６（Ａ）の例では、制御部９１は、自装置のスピーカユニット９５にオーディオ信号を出力している。
【００５８】
この例に係るコンテンツ再生システムの動作は、図１に示したコンテンツ再生システムと同様であり、ネットワークスピーカ７０Ｂがマスタユニットとして、レシーバ５と同様の動作を行う。すなわち、図６（Ａ）に示すように、ユーザが部屋１Ｂに居る場合には、スピーカ７Ｂがスマートフォン８１（図１におけるユーザ端末９に対応するもの）に最も近くなる。したがって、ネットワークスピーカ７０Ｂからコンテンツ（音楽）が出力され、ネットワークスピーカ７０Ａおよびネットワークスピーカ７０Ｃからはコンテンツが出力されない。
【００５９】
これに対し、図６（Ｂ）に示すように、例えばユーザが部屋１Ａに移動したときには、ネットワークスピーカ７０Ａがスマートフォン８１に最も近くなる。したがって、ネットワークスピーカ７０Ｂの制御部９１は、最もユーザ端末（スマートフォン８１）に近いネットワークスピーカ７０Ａにデジタルオーディオ信号を送信して、他のスピーカにはデジタルオーディオ信号を出力しないようにする。これにより、ネットワークスピーカ７０Ａからコンテンツ（音楽）が出力され、ネットワークスピーカ７０Ｂおよびネットワークスピーカ７０Ｃからはコンテンツが出力されない。
【００６０】
なお、スマートフォン８１がマスタユニットとして、レシーバ５と同様の動作を行うことも可能である。この場合、スマートフォン８１の制御部８５が、自装置（またはいずれかのネットワークスピーカ）に設けられたコンテンツ記憶部１０１からコンテンツを読み出して再生し、最もユーザ端末（スマートフォン８１）に近いネットワークスピーカにデジタルオーディオ信号を送信して、他のスピーカにはデジタルオーディオ信号を出力しないようにする。この場合、スピーカ（または部屋に設けられたスイッチ）がＢＬＥのビーコン信号を送信し、スマートフォン８１がこれらビーコン信号の受信電波強度に基づいて距離を計算し、最もユーザ端末に近いスピーカを判断する。あるいは、スピーカ（または部屋に設けられたスイッチ）がユーザ端末から出力されるビーコン信号を受信して、当該ビーコン信号の受信電波強度をスマートフォン８１に送信し、スマートフォン８１において距離を計算し、最もユーザ端末に近いスピーカを判断する。
【００６１】
また、ネットワークスピーカを用いる場合でも、図８に示すように、各部屋に設置したスイッチ（操作受付手段）を用いてユーザが属する場所を検出することも可能である。ただし、図８の例では、各スイッチは、それぞれ各部屋のネットワークスピーカに接続されている。
【００６２】
図８（Ａ）の状態では、ユーザは、部屋１Ｂに入ったときにスイッチ８Ｂを操作している。スイッチ８Ｂの操作情報は、マスタユニットであるネットワークスピーカ７０Ｂに送信される。ネットワークスピーカ７０Ｂは、自装置からコンテンツを出力して、他のネットワークスピーカにはデジタルオーディオ信号を送信しないようにする。したがって、ネットワークスピーカ７０Ｂからコンテンツ（音楽）が出力され、ネットワークスピーカ７０Ａおよびネットワークスピーカ７０Ｃからはコンテンツが出力されない。
【００６３】
ここで、図８（Ｂ）に示すように、ユーザが部屋１Ａに移動して、スイッチ８Ａを操作すると、スイッチ８Ａに接続されているネットワークスピーカ７０Ａは、マルチキャスト（すべてのデバイスに一斉に問い合わせる方法）で問い合わせを行う。すると、マスタユニットであるネットワークスピーカ７０Ｂは、メモリ９３に記憶しているコンテンツ識別情報を確認し、当該コンテンツ識別情報（または当該コンテンツに係るデジタルオーディオ信号）をネットワークスピーカ７０Ａに送信する。また、ネットワークスピーカ７０Ｂは、自装置におけるコンテンツの出力を停止する。これにより、ネットワークスピーカ７０Ａは、図３（Ａ）において部屋１Ｂでネットワークスピーカ７０Ｂが出力していたコンテンツと同じコンテンツを出力することになる。なお、このときにマスタユニットがネットワークスピーカ７０Ａに切り替わるようにしてもよい。
【００６４】
なお、図１乃至図５に示したレシーバを用いる態様と、図６乃至図８に示したネットワークスピーカを用いる態様とは、組み合わせることも可能である。この場合、レシーバ５がマスタユニットとして機能し、自装置に接続されている各スピーカ、またはネットワークスピーカにコンテンツを出力させる。
【００６５】
次に、図９は、レシーバとスピーカとをアナログオーディオケーブルで接続する場合の例を示す図である。図１０は、レシーバ、スピーカ、ビーコン端末、およびユーザ端末（スマートフォン）の構成を示すブロック図である。この例におけるレシーバ５０は、出力Ｉ／Ｆ１０６をさらに備えている。出力Ｉ／Ｆ１０６は、アナログオーディオケーブルを介してスピーカ７Ａ、スピーカ７Ｂ、およびスピーカ７Ｃと接続され、アナログオーディオ信号を出力する。スピーカ７Ａ、スピーカ７Ｂ、およびスピーカ７Ｃは、入力されたアナログオーディオ信号に基づく音を出力するものであり、その他の複雑な構成および機能は備えていない。
【００６６】
ビーコン端末８０Ａ、ビーコン端末８０Ｂ、およびビーコン端末８０Ｃは、同じ構成および同じ機能を有する。図１０では、代表してビーコン端末８０Ｂの構成を示す。ビーコン端末８０Ｂは、制御部８０１、ネットワーク通信部８０２、メモリ８０３、およびＢＴ通信部８０４を備え、スピーカ７Ｂと同様の構成を備えている。スマートフォン８１は、図７で示した例と同じ構成および機能を備えている。
【００６７】
この例に係るコンテンツ再生システムでは、図９（Ａ）の状態では、ユーザは、部屋１Ｂに入ったときにスマートフォン８１のタッチパネル８８を操作する。すると、スマートフォン８１は、ＢＴ通信部９１０を介してＢＬＥのビーコン信号を送信する。ビーコン端末８０Ｂは、当該ビーコン信号を受信して、当該ビーコン信号の受信電波強度に基づいて、スマートフォン８１との距離を計算する。計算された距離情報は、レシーバ５０に送信される。または、ビーコン端末８０ＢがＢＬＥのビーコン信号を送信し、スマートフォン８１が受信したビーコン信号の受信電波強度に基づいてビーコン端末８０Ｂとの距離を計算し、当該ビーコン端末８０Ｂとの距離情報をレシーバ５０に送信してもよい。
【００６８】
これにより、レシーバ５０は、ユーザがビーコン端末８０Ｂに最も近い位置に居ると判断し、ビーコン端末８０Ｂが設置された、すなわちスピーカ７Ｂが設置された部屋１Ｂにユーザが居ると判断して、スピーカ７Ｂにオーディオ信号を出力し、他のスピーカ７Ａおよびスピーカ７Ｃの出力は停止する（ミュートする）。
【００６９】
そして、図９（Ｂ）に示すように、ユーザが部屋１Ａに移動して、スマートフォン８１を操作すると、ビーコン端末８０Ａからレシーバ５０に距離情報が送信される。したがって、レシーバ５０は、ビーコン端末８０Ａが設置された、すなわちスピーカ７Ａが設置された部屋１Ａにユーザが居ると判断して、スピーカ７Ａにオーディオ信号を出力し、他のスピーカ７Ｂおよびスピーカ７Ｃの出力は停止する（ミュートする）、または直前にユーザが居た部屋１Ｂのスピーカ７Ｂの出力を停止する。
【００７０】
以上のように、どの態様のコンテンツ再生システムであっても、ユーザが煩雑な操作をすることなく、自身が聴いていたコンテンツを移動後の場所でも続けて聴くことができる。
【符号の説明】
【００７１】
１Ａ，１Ｂ，１Ｃ…部屋
５，５０…レシーバ
７Ａ，７Ｂ，７Ｃ…スピーカ
８Ａ，８Ｂ，８Ｃ…スイッチ
９，９Ａ，９Ｂ…ユーザ端末
７０Ａ，７０Ｂ，７０Ｃ…ネットワークスピーカ
８０Ａ，８０Ｂ，８０Ｃ…ビーコン端末
８１…スマートフォン
【図１】
0006481341.tif 000002
【図２】
0006481341.tif 000003
【図３】
0006481341.tif 000004
【図４】
0006481341.tif 000005
【図５】
0006481341.tif 000006
【図６】
0006481341.tif 000007
【図７】
0006481341.tif 000008
【図８】
0006481341.tif 000009
【図９】
0006481341.tif 000010
【図１０】
0006481341.tif 000011